(57)【要約】【課題】内周側対物レンズがターンテーブルと衝突せずに、外周側対物レンズがディスクの最内周にレーザーを集光可能な対物レンズ保持装置、光ピックアップ装置を提供することを目的とする。【解決手段】レンズ部Ａと縁部Ａを有しディスクＡにレーザーＡを集光する対物レンズＡとレンズ部Ｂと縁部Ｂを有しディスクＢにレーザーＢを集光する対物レンズＢと孔部Ａ及びＢと当接部Ａ及びＢを有しディスクＡ及びＢの径方向に対物レンズＡ及びＢを外周側及び内周側として一体保持し移動可能なレンズホルダーとを備えた対物レンズ保持装置であり、縁部Ａの縁部Ｂと面する側の距離Ａは面しない側の距離未満か縁部Ｂの縁部Ａと面する側の距離Ｂは面しない側の距離未満かの少なくとも一方であり対物レンズＡ及びＢの中心軸間距離は距離Ａ及びＢに応じてディスクＡの最内周にレーザーＡを集光する場合縁部Ｂがターンテーブルと衝突しない距離に設定されることを特徴とする。【選択図】図１
2011175727.tif 000002
【特許請求の範囲】
【請求項１】
第１光ディスクがターンテーブルに装着された場合、前記第１光ディスクの情報記録層に第１レーザー光を集光する第１レンズ部と、前記第１レンズ部の前記第１レーザー光が出射される側の周面から突出する第１縁部と、を有する第１対物レンズと、
前記第１光ディスクとは異なる情報記録フォーマットの第２光ディスクが前記ターンテーブルに装着された場合、前記第２光ディスクの情報記録層に前記第１レーザー光とは異なる波長の第２レーザー光を集光する第２レンズ部と、前記第２レンズ部の前記第２レーザー光が出射される側の周面から突出する第２縁部と、を有する第２対物レンズと、
前記第１レンズ部を落とし込む第１孔部と、前記第１孔部への前記第１レンズ部の落とし込みを制限するべく前記第１縁部と当接する第１当接部と、前記第２レンズ部を落とし込む第２孔部と、前記第２孔部への前記第２レンズ部の落とし込みを制限するべく前記第２縁部と当接する第２当接部と、を有し、前記第１光ディスク及び前記第２光ディスクが前記ターンテーブルに装着された場合の前記第１光ディスク及び前記第２光ディスクの径方向に沿って、前記第１対物レンズ及び前記第２対物レンズを各々前記径方向の外周側及び内周側として隣接させて一体保持し、前記径方向に沿って移動可能であるレンズホルダーと、
を備えた対物レンズ保持装置であって、
前記第１縁部の前記第２縁部と面する側の前記径方向の第１距離は、前記第１縁部の前記第２縁部とは面しない反対側の前記径方向の距離未満であるか、前記第２縁部の前記第１縁部と面する側の前記径方向の第２距離は、前記第２縁部の前記第１縁部とは面しない反対側の前記径方向の距離未満であるか、の少なくとも一方であり、
前記第１対物レンズの中心軸と前記第２対物レンズの中心軸との軸間距離は、前記第１距離及び前記第２距離に応じて、前記第１対物レンズが前記第１光ディスクの情報記録層の最内周に前記第１レーザー光を集光する場合、前記第２縁部が前記ターンテーブルと衝突しない距離に設定される、
ことを特徴とする対物レンズ保持装置。
【請求項２】
前記第１縁部の前記第２縁部と面する側は、前記径方向と交差する方向に切り欠かれた形状であって、
前記第２縁部の前記第１縁部と面する側は、前記径方向と交差する前記方向と同一方向に切り欠かれた形状である、
ことを特徴とする請求項１に記載の対物レンズ保持装置。
【請求項３】
前記第１縁部の前記第２縁部と面する側は、前記径方向と直交する方向に切り欠かれた形状であって、
前記第２縁部の前記第１縁部と面する側は、前記径方向と直交する方向と同一方向に切り欠かれた形状である、
ことを特徴とする請求項２に記載の対物レンズ保持装置。
【請求項４】
前記レンズホルダーの前記径方向の距離は、
前記第１距離及び前記第２距離に応じて、前記第１対物レンズが前記第１光ディスクの情報記録層の最内周に前記第１レーザー光を集光する場合、前記レンズホルダーが前記ターンテーブルと衝突しない距離に設定される、
ことを特徴とする請求項１乃至請求項３の何れかに記載の対物レンズ保持装置。
【請求項５】
第１光ディスクがターンテーブルに装着された場合、前記第１光ディスクの情報記録層に第１レーザー光を集光する第１レンズ部と、前記第１レンズ部の前記第１レーザー光が出射される側の周面から突出する第１縁部と、を有する第１対物レンズと、
前記第１光ディスクとは異なる情報記録フォーマットの第２光ディスクが前記ターンテーブルに装着された場合、前記第２光ディスクの情報記録層に前記第１レーザー光とは異なる波長の第２レーザー光を集光する第２レンズ部と、前記第２レンズ部の前記第２レーザー光が出射される側の周面から突出する第２縁部と、を有する第２対物レンズと、
前記第１レンズ部を落とし込む第１孔部と、前記第１孔部への前記第１レンズ部の落とし込みを制限するべく前記第１縁部と当接する第１当接部と、前記第２レンズ部を落とし込む第２孔部と、前記第２孔部への前記第２レンズ部の落とし込みを制限するべく前記第２縁部と当接する第２当接部と、を有し、前記第１光ディスク及び前記第２光ディスクが前記ターンテーブルに装着された場合の前記第１光ディスク及び前記第２光ディスクの径方向に沿って、前記第１対物レンズ及び前記第２対物レンズを各々前記径方向の外周側及び内周側として隣接させて一体保持し、前記径方向に沿って移動可能であるレンズホルダーと、
を備えた対物レンズ保持装置であって、
前記第１対物レンズと前記第２対物レンズとを一体とするべく、
前記第１縁部の前記第２縁部と面する側と、前記第２縁部の前記第１縁部と面する側とは、結合されてなる、
ことを特徴とする対物レンズ保持装置。
【請求項６】
前記第１縁部の前記第２縁部と面する側の前記径方向の第１距離は、前記第１縁部の前記第２縁部とは面しない反対側の前記径方向の距離未満であるか、前記第２縁部の前記第１縁部と面する側の前記径方向の第２距離は、前記第２縁部の前記第１縁部とは面しない反対側の前記径方向の距離未満であるか、の少なくとも一方であり、
前記第１対物レンズの中心軸と前記第２対物レンズの中心軸との軸間距離は、前記第１距離及び前記第２距離に応じて、前記第１対物レンズが前記第１光ディスクの情報記録層の最内周に前記第１レーザー光を集光する場合、前記第２縁部が前記ターンテーブルと衝突しない距離に設定される、
ことを特徴とする請求項５に記載の対物レンズ保持装置。
【請求項７】
前記レンズホルダーの前記径方向の距離は、
前記第１距離及び前記第２距離に応じて、前記第１対物レンズが前記第１光ディスクの情報記録層の最内周に前記第１レーザー光を集光する場合、前記レンズホルダーが前記ターンテーブルと衝突しない距離に設定される、
ことを特徴とする請求項６に記載の対物レンズ保持装置。
【請求項８】
請求項１乃至請求項７の何れかに記載の対物レンズ保持装置を備えた、
ことを特徴とする光ピックアップ装置。
【発明の詳細な説明】
【技術分野】
【０００１】
本発明は、対物レンズ保持装置、光ピックアップ装置に関する。
【背景技術】
【０００２】
従来、情報記録／再生のための記録媒体として、赤外レーザー光を用いるＣＤ（Compact Disc）や赤色レーザー光を用いるＤＶＤ（Digital Versatile Disc）等の光ディスクがある。更に、近年、従来の光ディスクに比して高密度記録が可能な青紫色レーザー光を用いた光ディスク（ＨＤ ＤＶＤ（High Definition DVD）やＢｌｕ-ｒａｙ Ｄｉｓｃ（登録商標））が提唱されている。そして、これらの光ディスクに対して情報記録／再生を行うべく、例えば、従来の光ディスク用のレーザー光を集光するための対物レンズと、Ｂｌｕ-ｒａｙ Ｄｉｓｃ等用の青紫色レーザー光を集光するための対物レンズとを１つのレンズホルダーに搭載した光ピックアップ装置がある。この２つの対物レンズの光ディスクに対する配置としては、例えば図９に示すように、光ディスクの径方向（以下、ラジアル方向という）に配置したもの（ａ）や、光ディスクの情報記録層に螺旋状に形成されたトラックの接線方向（以下、タンジェンシャル方向という）に配置したもの（ｂ）等がある。
【０００３】
ところで、光ディスクに対する情報記録／再生においては、情報記録／再生の対象となるトラック（以下、情報記録／再生対象トラックという）にレーザー光を追従させるべくトラッキング制御が行われる。そして、このトラッキング制御においては、回折格子等によりレーザー光を回折した例えば３つのレーザー光（０次光、±１次回折光）を用いる差動プッシュプル法や３ビーム法等が一般的に採用されている。この３つのレーザー光を用いる差動プッシュプル法等は、情報記録／再生対象トラックの接線方向に対して＋１次回折光と−１次回折光とを線対称に照射させることにより、従来のプッシュプル法等よりも優れたトラッキング制御を可能としている。
【０００４】
ここで、ラジアル方向に２つの対物レンズ１０１、１０２が配置される場合（図９（ａ））においては、対物レンズ１０１、１０２からの０次光及び±１次回折光の出射の何れの場合においても、情報記録／再生対象トラックの接線方向に対して＋１次回折光と−１次回折光とを線対称に照射させることが可能となり、差動プッシュプル法等に基づくトラッキング制御を行うことが可能となる。一方、タンジェンシャル方向に対物レンズが配置される場合（図９（ｂ））、対物レンズ１０３からの０次光及び±１次回折光の出射においては、情報記録／再生対象トラックの接線方向に対して＋１次回折光と−１次回折光とを線対称に照射させることが可能となる。しかしながら、対物レンズ１０４からの０次光及び±１次回折光の出射においては、情報記録／再生対象トラックの接線方向に対して＋１次回折光と−１次回折光とが非線対称に照射されることとなる。このため、０次光及び±１次回折光の反射光に応じたトラッキングエラー信号の振幅が変動し、差動プッシュプル法等によるトラッキング制御が出来なくなる可能性があった。そこで、タンジェンシャル方向に対物レンズを配置する場合、差動プッシュプル法等よりもトラッキング制御において劣る可能性のある、０次光の反射光に基づくプッシュプル法等が採用されていた。
【０００５】
このように、光ピックアップ装置において、２つの対物レンズを１つのレンズホルダーに搭載するにあっては、差動プッシュプル法等に基づく良好なトラッキング制御を行うことが可能なラジアル方向への配置を選択することが望ましい。
【先行技術文献】
【特許文献】
【０００６】
【特許文献１】国際公開ＷＯ９８／０２８７４
【発明の概要】
【発明が解決しようとする課題】
【０００７】
しかしながら、２つの対物レンズ１０１、１０２をラジアル方向へ配置すると、例えば外周側の対物レンズ１０２が光ディスク１０７の情報記録層１１２のトラックにレーザー光を集光する場合、内周側の対物レンズ１０１のラジアル方向における位置は、タンジェンシャル方向への配置又は１つの対物レンズのみをレンズホルダーに搭載したときよりも内周側に位置する。そして、外周側の対物レンズ１０２が、例えば、光ディスク１０７の情報記録層１１２のリードイン領域（又はＰＣＡ（Power Calibration Area）領域）よりも更に内周側の領域のトラック（以下、情報記録層の最内周という）にレーザー光を集光する場合、内周側の対物レンズ１０１はラジアル方向において最も内周側に位置することとなる。尚、リードイン領域等よりも更に内周側の領域には、例えば光ディスク１０７がライトスクライブ対応であることを示す情報等が記録されている。そして、リードイン領域（又はＰＣＡ領域）よりも更に内周側の領域に移動する必要がない仕様のレンズホルダー１０５を単に利用したものの場合、当該レンズホルダー１０５の形状や対物レンズ１０１、１０２に対して相応の制限が施されていないため、図１０、図１１に示すように情報記録層１１２の最内周に移動した際、例えば、内周側の対物レンズ１０１の縁部１１０がターンテーブル１０９と衝突する可能性があった。図１０は、ラジアル方向におけるターンテーブル１０９の外周の位置をゼロとし、ターンテーブル１０９と対物レンズ１０１の縁部１１０との間の距離をＭとした場合の、情報記録１１２の最内周へのレンズホルダー１０５の移動を示す図である。尚、＋側の距離Ｍは、縁部１１０がターンテーブル１０９の外周と離れているときの距離Ｍを示し、−側（ゼロを含む、以下同じ）の距離Ｍは、縁部１１０がゼロよりも内周側へ移動すると仮定したときの距離Ｍを示すものである。図１１は、図１０の平面図である。
【０００８】
また、情報記録層１１２の最内周に移動した際に縁部１１０がターンテーブル１０９と衝突しない場合（距離Ｍが＋側）であっても、このときの距離Ｍが、外周側の対物レンズ１０２からのレーザー光が情報記録層１１２の最内周に追従するためのトラッキング制御によって、レンズホルダー１０５がラジアル方向へ移動するときの移動量よりも小さくなる場合、対物レンズ１０１の縁部１１０がターンテーブル１０９と衝突する可能性があった。そして、仮に、対物レンズ１０１の縁部１１０がターンテーブル１０９と衝突した場合、情報記録層１１２の最内周にレーザー光を集光することが出来なくなり、当該情報記録層１１２の最内周に対する情報記録／再生が出来なくなる可能性があった。更に、衝突に起因して、対物レンズ１０１、１０２がレンズホルダー１０５とともに傾いてしまった場合、情報記録層１１２の全体のトラックにレーザー光を集光することが出来なくなり、光ディスク１０７に対する情報記録／再生が出来なくなる可能性があった。
【０００９】
そこで、この問題を解決するための手段の１つとして、対物レンズ１０１、１０２の径を小さく設けることが考えられる。しかしながら、対物レンズ１０１、１０２の径を小さく設けるとレーザー光を集光するための有効径が小さくなり、ディスク偏心等に追従するために対物レンズ１０１、１０２を搭載したアクチュエータ（不図示）がラジアル方向にシフトすると、光ディスク１０７に集光するレーザー光の光量低下やレーザー光の反射光に応じた信号（再生信号等）の振幅劣化等を招く可能性があり、結果として新たな問題が生じる可能性があった。
【００１０】
そこで、本発明は、ラジアル方向において内周側の対物レンズがターンテーブルと衝突することなく、外周側の対物レンズが光ディスクの情報記録層の最内周にレーザー光を集光することが可能な対物レンズ保持装置、光ピックアップ装置を提供することを目的とする。
【課題を解決するための手段】
【００１１】
前記課題を解決するための発明は、第１光ディスクがターンテーブルに装着された場合、前記第１光ディスクの情報記録層に第１レーザー光を集光する第１レンズ部と、前記第１レンズ部の前記第１レーザー光が出射される側の周面から突出する第１縁部と、を有する第１対物レンズと、前記第１光ディスクとは異なる情報記録フォーマットの第２光ディスクが前記ターンテーブルに装着された場合、前記第２光ディスクの情報記録層に前記第１レーザー光とは異なる波長の第２レーザー光を集光する第２レンズ部と、前記第２レンズ部の前記第２レーザー光が出射される側の周面から突出する第２縁部と、を有する第２対物レンズと、前記第１レンズ部を落とし込む第１孔部と、前記第１孔部への前記第１レンズ部の落とし込みを制限するべく前記第１縁部と当接する第１当接部と、前記第２レンズ部を落とし込む第２孔部と、前記第２孔部への前記第２レンズ部の落とし込みを制限するべく前記第２縁部と当接する第２当接部と、を有し、前記第１光ディスク及び前記第２光ディスクが前記ターンテーブルに装着された場合の前記第１光ディスク及び前記第２光ディスクの径方向に沿って、前記第１対物レンズ及び前記第２対物レンズを各々前記径方向の外周側及び内周側として隣接させて一体保持し、前記径方向に沿って移動可能であるレンズホルダーと、を備えた対物レンズ保持装置であって、前記第１縁部の前記第２縁部と面する側の前記径方向の第１距離は、前記第１縁部の前記第２縁部とは面しない反対側の前記径方向の距離未満であるか、前記第２縁部の前記第１縁部と面する側の前記径方向の第２距離は、前記第２縁部の前記第１縁部とは面しない反対側の前記径方向の距離未満であるか、の少なくとも一方であり、前記第１対物レンズの中心軸と前記第２対物レンズの中心軸との軸間距離は、前記第１距離及び前記第２距離に応じて、前記第１対物レンズが前記第１光ディスクの情報記録層の最内周に前記第１レーザー光を集光する場合、前記第２縁部が前記ターンテーブルと衝突しない距離に設定される、ことを特徴とする。
【００１２】
また、第１光ディスクがターンテーブルに装着された場合、前記第１光ディスクの情報記録層に第１レーザー光を集光する第１レンズ部と、前記第１レンズ部の前記第１レーザー光が出射される側の周面から突出する第１縁部と、を有する第１対物レンズと、前記第１光ディスクとは異なる情報記録フォーマットの第２光ディスクが前記ターンテーブルに装着された場合、前記第２光ディスクの情報記録層に前記第１レーザー光とは異なる波長の第２レーザー光を集光する第２レンズ部と、前記第２レンズ部の前記第２レーザー光が出射される側の周面から突出する第２縁部と、を有する第２対物レンズと、前記第１レンズ部を落とし込む第１孔部と、前記第１孔部への前記第１レンズ部の落とし込みを制限するべく前記第１縁部と当接する第１当接部と、前記第２レンズ部を落とし込む第２孔部と、前記第２孔部への前記第２レンズ部の落とし込みを制限するべく前記第２縁部と当接する第２当接部と、を有し、前記第１光ディスク及び前記第２光ディスクが前記ターンテーブルに装着された場合の前記第１光ディスク及び前記第２光ディスクの径方向に沿って、前記第１対物レンズ及び前記第２対物レンズを各々前記径方向の外周側及び内周側として隣接させて一体保持し、前記径方向に沿って移動可能であるレンズホルダーと、を備えた対物レンズ保持装置であって、前記第１対物レンズと前記第２対物レンズとを一体とするべく、前記第１縁部の前記第２縁部と面する側と、前記第２縁部の前記第１縁部と面する側とは、結合されてなる、ことを特徴とする。
【００１３】
また、光ピックアップ装置は、上述の対物レンズ保持装置を備えた、ことを特徴とする。
【発明の効果】
【００１４】
本発明によれば、ラジアル方向において内周側の対物レンズがターンテーブルと衝突することなく、外周側の対物レンズが光ディスクの情報記録層の最内周にレーザー光を集光することができる。
【図面の簡単な説明】
【００１５】
【図１】本発明に係る対物レンズ保持装置及び対物レンズ、レンズホルダーを示した図である。
【図２】本発明に係る光ピックアップ装置の全体構成を示す図である。
【図３】本発明に係る対物レンズ保持装置の正面図及び背面図である。
【図４】本発明に係る対物レンズ保持装置の正面図である。
【図５】本発明に係る対物レンズ保持装置のその他の形態を示す図である。
【図６】本発明に係る対物レンズ保持装置のその他の形態を示す図である。
【図７】本発明に係る対物レンズ保持装置のその他の形態を示す図である。
【図８】本発明に係る対物レンズ保持装置のその他の形態を示す図である。
【図９】２つの対物レンズのラジアル方向及びタンジェンシャル方向への配置を示す図である。
【図１０】内周側の対物レンズとターンテーブルとの衝突を示す図である。
【図１１】内周側の対物レンズとターンテーブルとの衝突を示す図である。
【発明を実施するための形態】
【００１６】
本明細書および添付図面の記載により、少なくとも以下の事項が明らかとなる。
【００１７】
＝＝＝  光ピックアップ装置の構成例  ＝＝＝
図２、図３を参照しつつ、本発明に係る対物レンズ保持装置８、光ピックアップ装置１の全体構成について説明する。図２は、本発明に係る光ピックアップ装置１の全体構成の一例を示す図である。図３（ａ）は、−タンジェンシャル方向からの正面図である。図３（ｂ）は、図３（ａ）の背面図である。尚、本実施形態におけるラジアル方向とは、ＨＤ ＤＶＤやＢｌｕ−ｒａｙ Ｄｉｓｃ（以下、ＨＤ ＤＶＤ５０という）、ＣＤ５２、ＤＶＤ５４がターンテーブル１０９（図４参照）に装着された場合のラジアル方向を示すものとする。また、タンジェンシャル方向とは、ＨＤ ＤＶＤ５０、ＣＤ５２、ＤＶＤ５４がターンテーブル１０９に装着された場合の情報記録層５１、５３、５５に形成されたトラックの接線方向を示すものとする。
【００１８】
光ピックアップ装置１は、青紫色半導体レーザー２、回折格子３、１０、１４、ビームスプリッタ４、コリメータレンズ５、１６、液晶収差補正素子６、立上ミラー７、１７、対物レンズ保持装置８、赤色半導体レーザー９、ダイクロイックプリズム１１、赤外半導体レーザー１２、カップリングレンズ１３、平板ビームスプリッタ１５、センサーレンズ１８、２０、光検出器１９、２１を有している。尚、本発明の要旨に関係しないため不図示としたが、光ピックアップ装置１は、一般的な光ピックアップ装置が有しているフロントモニタダイオード等を有している。
【００１９】
＜＜ＨＤ ＤＶＤ５０用の光学系＞＞
青紫色半導体レーザー２は、例えばｐ型半導体とｎ型半導体とをｐｎ接合したダイオード（不図示）から構成されている。青紫色半導体レーザー２は、不図示のレーザー駆動回路からの制御電圧が印加されることにより、ＨＤ ＤＶＤ５０の情報記録層５１までの保護層の厚み（ＨＤ ＤＶＤ：０．６ｍｍ、Ｂｌｕ-ｒａｙ Ｄｉｓｃ：０．７５〜０．１ｍｍ）に対応する波長（４００〜４１０ｎｍ）のＩｎＧａＮ系青紫色レーザー光（２点鎖線）を出射する。
【００２０】
回折格子３は、青紫色レーザー光を回折することにより、例えば０次光と±１次回折光とを発生してビームスプリッタ４に出射する。尚、本実施形態においては、特に明示する場合を除いて当該０次光と±１次回折光とを青紫色レーザー光と称して以下説明する。
【００２１】
ビームスプリッタ４は、青紫色レーザー光を透過してコリメータレンズ５に出射する。また、ビームスプリッタ４は、コリメータレンズ５からのＨＤ ＤＶＤ５０の情報記録層５１を照射した後の青紫色レーザー光の反射光を反射して、センサーレンズ１８に出射する。
【００２２】
コリメータレンズ５は、青紫色レーザー光を平行光に変換して液晶収差補正素子６に出射する。また、コリメータレンズ５は、液晶収差補正素子６からの青紫色レーザー光の反射光を収束光に変換して、ビームスプリッタ４に出射する。
【００２３】
液晶収差補正素子６は、対向するように配置されたガラス基板３０Ａ、３０Ｂと、当該ガラス基板３０Ａ、３０Ｂ間に液晶分子が封止された液晶分子層３１を有する。この液晶分子層３１の液晶分子の向きは、青紫色レーザー光の光軸に対するＨＤ ＤＶＤ５０の傾きによって発生するコマ収差を補正する方向に予め設定されている。そして、この液晶収差補正素子６は、液晶分子層３１を介した青紫色レーザー光を、立上ミラー７に出射する。また、液晶収差補正素子６は、立上ミラー７からの青紫色レーザー光の反射光を、コリメータレンズ５に出射する。
【００２４】
立上ミラー７は、青紫色レーザー光を反射することにより、対物レンズ保持装置８の第２対物レンズ２９に青紫色レーザー光を入射させる。また、立上ミラー７は、対物レンズ保持装置８からの青紫色レーザー光の反射光を反射して、液晶収差補正素子６に出射する。
【００２５】
センサーレンズ１８は、例えば差動非点収差法に基づくフォーカシング制御を行うべく、ビームスプリッタ４からの青紫色レーザー光の反射光に非点収差を付与して、光検出器１９に出射する。
【００２６】
光検出器１９は、青紫色レーザー光の反射光である０次光の反射光と±１次回折光の反射光とを各々受光するための、例えば４分割された受光領域を有している。光検出器１９は、０次光の反射光の光量に応じて光電変換した電気信号を生成して、後段の処理回路（不図示）に出力する。この結果、０次光の反射光に応じた電気信号に基づいて、ＨＤ ＤＶＤ５０の情報記録層５１からの情報再生が行われることとなる。また、光検出器１９は、±１次回折光の反射光の光量に応じて光電変換した電気信号を生成して、０次光の反射光に応じた電気信号とともに、後段のサーボ制御回路（不図示）に出力する。この結果、０次光と±１次回折光の反射光に応じた電気信号に基づいてトラッキングエラー信号、フォーカスエラー信号等が生成され、前述の磁気部材を介して、差動プッシュプル法によるトラッキング制御、差動非点収差法によるフォーカシング制御等が施されることとなる。
【００２７】
＜＜ＣＤ５２／ＤＶＤ５４用の光学系＞＞
赤色半導体レーザー９は、例えばｐ型半導体とｎ型半導体とをｐｎ接合したダイオード（不図示）から構成されている。そして、赤色半導体レーザー９は、不図示のレーザー駆動回路からの制御電圧が印加されることにより、ＤＶＤ５４の情報記録層５５までの保護層の厚み（０．６ｍｍ）に対応する波長（６５０〜６６０ｎｍ）のＡｌＧａＩｎＰ系赤色レーザー光（１点鎖線）を出射する。
【００２８】
回折格子１０は、赤色レーザー光を回折することにより、例えば０次光と±１次回折光とを発生してダイクロイックプリズム１１に出射する。尚、本実施形態においては、特に明示する場合を除いて当該０次光と±１次回折光とを赤色レーザー光と称して以下説明する。
【００２９】
赤外半導体レーザー１２は、例えばｐ型半導体とｎ型半導体とをｐｎ接合したダイオード（不図示）から構成されている。そして、赤外半導体レーザー１２は、不図示のレーザー駆動回路からの制御電圧が印加されることにより、ＣＤ５２の情報記録層５３までの保護層の厚み（１．２ｍｍ）に対応する波長（７８０〜７９０ｎｍ）のＡｌＧａＡｓ系赤外レーザー光（１点鎖線）を出射する。
【００３０】
カップリングレンズ１３は、拡散光である赤外レーザー光の広がり角を変換して回折格子１４に出射する。
回折格子１４は、赤外レーザー光を回折することにより、例えば０次光と±１次回折光とを発生してダイクロイックプリズム１１に出射する。尚、本実施形態においては、特に明示する場合を除いて当該０次光と±１次回折光とを赤外レーザー光と称して以下説明する。
ダイクロイックプリズム１１は、赤色レーザー光を透過して平板ビームスプリッタ１５に出射する。また、ダイクロイックプリズム１１は、赤外レーザー光を反射して平板ビームスプリッタ１５に出射する。
【００３１】
平板ビームスプリッタ１５は、赤色レーザー光及び赤外レーザー光を反射して、コリメータレンズ１６に出射する。また、平板ビームスプリッタ１５は、コリメータレンズ１６からのＤＶＤ５４の情報記録層５５を照射した後の赤色レーザー光の反射光、及びＣＤ５２の情報記録層５３を照射した後の赤外レーザー光の反射光を透過して、センサーレンズ２０に出射する。
【００３２】
コリメータレンズ１６は、赤色レーザー光及び赤外レーザー光を平行光に変換して立上ミラー１７に出射する。また、コリメータレンズ１６は、立上ミラー１７からの赤色レーザー光の反射光及び赤外レーザー光の反射光を収束光に変換して、平板ビームスプリッタ１５に出射する。
【００３３】
立上ミラー１７は、赤色レーザー光及び赤外レーザー光を反射することにより、対物レンズ保持装置８の第１対物レンズ２８に赤色レーザー光及び赤外レーザー光を入射させる。また、立上ミラー１７は、対物レンズ保持装置８からの赤色レーザー光の反射光及び赤外レーザー光の反射光を反射して、コリメータレンズ１６に出射する。
【００３４】
センサーレンズ２０は、例えば差動非点収差法に基づくフォーカシング制御を行うべく、平板ビームスプリッタ１５からの赤色レーザー光の反射光及び赤外レーザー光の反射光に非点収差を付与して、光検出器２１に出射する。
【００３５】
光検出器２１は、赤色レーザー光の反射光及び赤外レーザー光の反射光である０次光の反射光と±１次回折光の反射光とを各々受光するための、例えば４分割された受光領域を有している。光検出器２１は、０次光の反射光の光量に応じて光電変換した電気信号を生成して、後段の処理回路（不図示）に出力する。この結果、０次光（赤色レーザー光）の反射光に応じた電気信号に基づいて、ＤＶＤ５４の情報記録層５５からの情報再生が行われることとなる。また、０次光（赤外レーザー光）の反射光に応じた電気信号に基づいて、ＣＤ５２の情報記録層５３からの情報再生が行われることとなる。更に、光検出器２１は、±１次回折光の反射光の光量に応じて光電変換した電気信号を生成して、０次光の反射光に応じた電気信号とともに、後段のサーボ制御回路（不図示）に出力する。この結果、０次光と±１次回折光の反射光に応じた電気信号に基づいてトラッキングエラー信号、フォーカスエラー信号等が生成され、前述の磁気部材を介して、差動プッシュプル法によるトラッキング制御、差動非点収差法によるフォーカシング制御等が施されることとなる。
【００３６】
＜＜対物レンズ保持装置８＞＞
対物レンズ保持装置８は、第１対物レンズ２８、第２対物レンズ２９、レンズホルダー２５を有する。尚、本発明に係る対物レンズ保持装置８の特徴については、後段において詳述する。レンズホルダー２５は、不図示のトラッキング制御用コイル、フォーカシング制御用コイル等を有する。また、レンズホルダー２５は、アクチュエータ基板（不図示）に一端が固着されたサスペンションワイヤー２６Ａ乃至２６Ｆの他端を保持するワイヤー保持部材２７が、一体成型されている。そして、レンズホルダー２５は、サスペンションワイヤー２６Ａ乃至２６Ｆの弾性力により、アクチュエータ基板上に弾性保持されている。更に、レンズホルダー２５は、アクチュエータ基板上の磁気部材（マグネット、ヨーク等。不図示）とトラッキング制御用コイル、フォーカシング制御用コイルとの磁気作用により、ラジアル方向への移動（トラッキング制御）、レーザー光の光軸方向への移動（フォーカシング制御）等が施される。第１対物レンズ２８は、ＤＶＤ５４の保護層の厚みに対応した開口数（０．６〜０．６５）を有し、立上ミラー１７からの赤色レーザー光をＤＶＤ５４の情報記録層５５に集光させる。また、第１対物レンズ２８は、立上ミラー１７からの赤外レーザー光をＣＤ５２の情報記録層５３に集光させる。更に、第１対物レンズ２８は、ＤＶＤ５４の情報記録層５５を照射した後の赤色レーザー光の反射光を平行光に変換して、立上ミラー１７に出射する。また、第１対物レンズ２８は、ＣＤ５２の情報記録層５３を照射した後の赤外レーザー光の反射光を平行光に変換して、立上ミラー１７に出射する。第２対物レンズ２９は、ＨＤ ＤＶＤ５０の保護層の厚みに対応した開口数（０．６５）を有し、立上ミラー７からの青紫色レーザー光をＨＤ ＤＶＤ５０の情報記録層５１に集光させる。また、第２対物レンズ２９は、ＨＤ ＤＶＤ５０の情報記録層５１を照射した後の青紫色レーザー光の反射光を平行光に変換して、立上ミラー７に出射する。
【００３７】
尚、本発明の要旨に関係ないため説明は簡略化するが、光ピックアップ装置１は、当該光ピックアップ装置１が組み込まれる光ディスク装置（不図示）を構成するステッピングモータ（不図示）の回転に応じた駆動力により、ＨＤ ＤＶＤ５０、ＣＤ５２、ＤＶＤ５４のラジアル方向を例えば内周側（＋）から外周側（−）へ移動することとなる（スレッド制御）。
【００３８】
＝＝＝対物レンズ保持装置８の詳細＝＝＝
以下、図１０を適宜参照しつつ、図１、図４を用いて本発明に係る対物レンズ保持装置８について詳述する。図１（ａ）は、図１０に示す従来の対物レンズ１０１、１０２及びレンズホルダー１０５を光軸方向から示した正面図である。図１（ｂ）は、対物レンズ保持装置８を光軸方向から示した正面図である。図４は、＋タンジェンシャル方向からの正面図である。
【００３９】
先ず、第１対物レンズ２８、第２対物レンズ２９について詳述する。第１対物レンズ２８は、前述したように赤色レーザー光及び赤外レーザー光を集光し、又は赤色レーザー光の反射光及び赤外レーザー光の反射光を平行光に変換するための第１レンズ部３３と、第１縁部３４（図４・斜線部参照）とを有している。第１縁部３４は、第１レンズ部３３の赤色レーザー光及び赤外レーザー光がＤＶＤ５４及びＣＤ５２に出射される側の面（出射面）を囲む周面からラジアル方向に突出している。第２対物レンズ２９は、前述したように青紫色レーザー光を集光し、又は青紫色レーザー光の反射光を平行光に変換するための第２レンズ部３５と、第２縁部３６とを有している。第２縁部３６は、第２レンズ部３５の青紫色レーザー光がＨＤ ＤＶＤ５０に出射される側の面（出射面）を囲む周面からラジアル方向に突出している。尚、図１、図４に示すように、第１縁部３４の第２縁部３６と面する側と、第２縁部３６の第１縁部３４と面する側とは結合されている。この結果、第１対物レンズ２８及び第２対物レンズ２９は、一体化されている。
【００４０】
そして、この第１対物レンズ２８の中心軸と第２対物レンズ２９の中心軸とのラジアル方向における軸間距離Ｘは、図４に示すように、外周側の第１対物レンズ２８が情報記録層５３（５５）の最内周にレーザー光を集光する場合、内周側の第２対物レンズ２９の第２縁部３６がターンテーブル１０９と衝突することを回避するべく、以下に説明する距離に設定される。尚、本実施形態において、情報記録層５３（５５）の最内周とは、情報記録／再生のためのアドレス情報等が記録されているリードイン領域の最内周を示し、又は、当該光ディスクが追記又は書き換え可能な光ディスクである場合においてはリードイン領域よりも更に内周側のＰＣＡ領域の最内周を示すものとする。或いは、光ディスクがライトスクライブ対応である場合、ＰＣＡ領域よりも更に内周側のLight Scribe対応を示す情報が記録されている領域の最内周を示すものとする。つまり、本実施形態における情報記録層の最内周とは、光ディスクに対して情報記録／再生（描画等も含む）をするためにレーザー光が照射される最も内周側のトラックを示すものとする。
【００４１】
以下、図４を適宜参照して、図１（ａ）と図１（ｂ）とを比較しつつ、第１対物レンズ２８の中心軸と第２対物レンズ２９の中心軸との軸間距離Ｘの設定について説明する。尚、以下において説明する距離Ｌ１乃至Ｌ７は、ラジアル方向における距離を示すものである。
【００４２】
第１縁部３４の第２縁部３６と結合されている側の距離Ｌ５（第１距離）は、対物レンズ１０２の縁部１１１の対物レンズ１０１の縁部１１０と面する側の距離Ｌ３＋Ｌ５よりもＬ３短い距離である。つまり、距離Ｌ５は、第１縁部３４の第２縁部３６と結合されていない反対側の距離Ｌ７よりもＬ３短い距離である。
【００４３】
また、第２縁部３６の第１縁部３４と結合されている側の距離Ｌ５（第２距離）は、対物レンズ１０１の縁部１１０の対物レンズ１０２の縁部１１１と面する側の距離Ｌ２＋Ｌ５よりもＬ２短い距離である。つまり、距離Ｌ５は、対物レンズ１０１の縁部１１０の対物レンズ１０２の縁部１１１と面していない反対側の距離Ｌ４＋Ｌ６よりもＬ２短い長さである。
【００４４】
また、第１縁部３４の第２縁部３６と結合されている側の距離Ｌ５と、第２縁部３６の第１縁部３４と結合されている側の距離Ｌ５とは、各々共通している。
また、第２縁部３６の第１縁部３４と結合されていない反対側の距離Ｌ６は、対物レンズ１０１の縁部１１０の対物レンズ１０２の縁部１１１と面していない反対側の距離Ｌ４＋Ｌ６よりもＬ４短い距離である。
更に、対物レンズ１０１の縁部１１０と対物レンズ１０２の縁部１１１とが面している間の距離Ｌ１は、第１縁部３４と第２縁部３６との結合によりゼロである。
【００４５】
この結果、ラジアル方向における第１縁部３４と第２縁部３６との距離の和は、対物レンズ１０１の縁部１１０と対物レンズ１０２の縁部１１１との距離に和に対して、Ｌ２＋Ｌ３＋Ｌ４＋Ｌ５短い距離となる。更に、距離Ｌ１はゼロである。故に、第１対物レンズ２８の中心軸と第２対物レンズ２９の中心軸との軸間距離Ｘは、対物レンズ１０１の中心軸と対物レンズ１０２の中心軸との軸間距離Ｘ´よりも、Ｌ１＋Ｌ２＋Ｌ３＋Ｌ４＋Ｌ５短い距離で設定されることとなる。つまり、第１対物レンズ２８の中心軸と第２対物レンズ２９の中心軸との軸間距離Ｘは、ラジアル方向における第１縁部３４と第２縁部３６との距離の和に応じて設定されることとなる。そして、例えば、レンズホルダー２５に保持されるときのラジアル方向における第１対物レンズ２８の位置を、対物レンズ１０２と同じ位置に設定することにより、第２縁部３６の第１縁部３４と結合されていない反対側の位置を、対物レンズ１０１の縁部１１０の対物レンズ１０２の縁部１１１と面していない反対側の位置よりもＬ１＋Ｌ２＋Ｌ３＋Ｌ４＋Ｌ５短くすることが可能となる。この結果、Ｌ１＋Ｌ２＋Ｌ３＋Ｌ４＋Ｌ５が、図１０に示す対物レンズ１０１の縁部１１０とターンテーブル１０９との間の−側の距離Ｍよりも大きい場合、第２縁部３６とターンテーブル１０９との間の距離Ｍ（図４参照）を＋側とすることが可能となる。つまり、第２縁部３６がターンテーブル１０９と衝突しないこととなる。
【００４６】
次に、レンズホルダー２５について詳述する。レンズホルダー２５は、第１孔部３７、第１当接部３８、第２孔部３９、第２当接部４０を有する。尚、第１縁部３４と第２縁部３６とが面する側の第１当接部３８と第２当接部４０とは結合されている。第１孔部３７には、第１レンズ部３３が落とし込まれる。そして、第１当接部３８と第１縁部３４とが当接することにより、第１孔部３７への第１レンズ部３３の落とし込みが所定位置で制限されることとなる。尚、第１当接部３８と第１縁部３４との当接は、接着剤の塗布等により固着させることが可能である。第２孔部３９には、第２レンズ部３５が落とし込まれる。そして、第２当接部４０と第２縁部３６とが当接することにより、第２孔部３９への第２レンズ部３５の落とし込みが所定位置で制限されることとなる。尚、第２当接部４０と第２縁部３６との当接も同様に、接着剤の塗布等により固着させることが可能である。この結果、レンズホルダー２５は、第１対物レンズ２８及び第２対物レンズ２９を、隣接させて一体保持することとなる。更に、レンズホルダー２５は、ラジアル方向に沿って、第１対物レンズ２８をラジアル方向の外周側、第２対物レンズ２９を内周側として保持するように光ピックアップ装置１に組み込まれることとなる。この結果、立上ミラー１７からの赤色レーザー光及び赤外レーザー光が第１孔部３７を透過して第１対物レンズ２８に入射し、第１対物レンズ２８からの赤色レーザー光及び赤外レーザー光の反射光が第１孔部３７を透過して立上ミラー１７に出射することとなる。また、立上ミラー７からの青紫色レーザー光が第２孔部３９を透過して第２対物レンズ２９に入射し、第２対物レンズ２９からの青紫色レーザー光の反射光が第２孔部３９を透過して立上ミラー７に出射することとなる。
【００４７】
そして、このレンズホルダー２５のラジアル方向における距離Ｙは、外周側の第１対物レンズ２８が情報記録層５３（５５）の最内周にレーザー光を集光する場合、当該レンズホルダー２５がターンテーブル１０９と衝突することを確実に回避するべく、以下に説明する距離に設定される。
【００４８】
以下、図４を適宜参照して、図１（ａ）と図１（ｂ）とを比較しつつ説明する。前述したように、ラジアル方向における第１縁部３４と第２縁部３６との距離の和は、対物レンズ１０１の縁部１１０と対物レンズ１０２の縁部１１１との距離の和に対して、Ｌ２＋Ｌ３＋Ｌ４＋Ｌ５短い距離となる。更に、距離Ｌ１はゼロである。そして、レンズホルダー２５のラジアル方向における距離Ｙは、レンズホルダー１０５のラジアル方向の距離Ｙ´よりも、Ｌ１＋Ｌ２＋Ｌ３＋Ｌ４＋Ｌ５短い距離で設定されることとなる。つまり、レンズホルダー２５のラジアル方向における距離Ｙは、ラジアル方向における第１縁部３４と第２縁部３６との距離の和に応じて設定されることとなる。そして、例えば、光ピックアップ装置１に組み込まれるときの、ラジアル方向におけるレンズホルダー２５のターンテーブル１０９と面しない反対側の位置を、レンズホルダー１０５と同じ位置に設定することにより、レンズホルダー２５のターンテーブル１０９と面する側の位置を、レンズホルダー１０５のターンテーブル１０９と面する側の位置よりもＬ１＋Ｌ２＋Ｌ３＋Ｌ４＋Ｌ５短くすることが可能となる。この結果、Ｌ１＋Ｌ２＋Ｌ３＋Ｌ４＋Ｌ５が、図１０に示すレンズホルダー１０５とターンテーブル１０９との間の−側の距離Ｎよりも大きい場合、レンズホルダー２５とターンテーブル１０９との距離Ｍ（図４参照）を＋側とすることが可能となる。つまり、レーザー光の光軸方向におけるＣＤ５２（ＤＶＤ５４）とレンズホルダー２５との距離が、ＣＤ５２（ＤＶＤ５４）とターンテーブル１０９のＣＤ５２（ＤＶＤ５４）が装着されていない側の面との距離よりも短く設定される場合であって、レンズホルダー２５とターンテーブル１０９とのラジアル方向における距離Ｎが−側となる場合であっても、当該レンズホルダー２５がターンテーブル１０９と衝突しないこととなる。或いは、距離Ｎが−側となる場合であって（図１０）、レーザー光の光軸方向におけるレンズホルダー２５とターンテーブル１０９との距離が、フォーカシング制御による当該レンズホルダー２５の移動距離未満となる場合、レンズホルダー２５がターンテーブル１０９と衝突しないこととなる。
【００４９】
尚、上述した実施形態によれば、ラジアル方向における第２縁部３６とターンテーブル１０９との間の距離Ｍを＋側（及び（又は）距離Ｎを＋側）とするべく、第２縁部３６の第１縁部３４と結合されていない反対側の距離Ｌ６を、対物レンズ１０１の縁部１１０の対物レンズ１０２の縁部１１１と面していない反対側の距離Ｌ４＋Ｌ６よりもＬ４短い距離としているが、これに限るものではない。例えば、Ｌ１＋Ｌ２＋Ｌ３＋Ｌ５が距離Ｍ（及び（又は）距離Ｎ）を＋側とすることを満たす場合、図５に示すように、第２縁部３６の第１縁部３４と結合されていない反対側の距離を、対物レンズ１０１の縁部１１０の対物レンズ１０２の縁部１１１と面していない反対側の距離Ｌ４＋Ｌ６と同じ距離としても良い。この結果、第１縁部３４と結合されていない反対側の第２縁部３６と第２当接部４０との当接をより確実なものとすることが可能となり、レンズホルダー２５が第２対物レンズ２９をより安定して保持することが可能となる。
【００５０】
また、ラジアル方向における第２縁部３６とターンテーブル１０９との間の距離Ｍを＋側（及び（又は）距離Ｎを＋側）とするべく、第１縁部３４の第２縁部３６と結合されている側の距離Ｌ５（又は第２縁部３６の第１縁部３４と結合されている側の距離Ｌ５）を設けているが、これに限るものではない。例えば、Ｌ１＋Ｌ２＋Ｌ３＋Ｌ４＋Ｌ５が距離Ｍ（及び（又は）距離Ｎ）を＋側とすることを満たさない場合、第１縁部３４の第２縁部３６と結合されている側の距離Ｌ５（又は第２縁部３６の第１縁部３４と結合されている側の距離Ｌ５）をゼロとするように設けても良い。この結果、ラジアル方向における対物レンズ１０１の縁部１１０と対物レンズ１０２の縁部１１１との距離の和に対して、第１縁部３４と第２縁部３６との距離の和をより短くすることが可能となる。そして、Ｌ１＋Ｌ２＋Ｌ３＋Ｌ４＋２・Ｌ５が、図１０に示す対物レンズ１０１の縁部１１０とターンテーブル１０９との間の−側の距離Ｍよりも大きい場合、距離Ｍを＋側とすることが可能となる。
【００５１】
上述した実施形態によれば、第１縁部３４の第２縁部３６と面する側と、第２縁部３６の第１縁部３４と面する側とを結合させることにより、第１対物レンズ２８と第２対物レンズ２９とを一体とすることが可能となる。この結果、第１対物レンズ２８の中心軸と第２対物レンズ２９の中心軸との軸間距離Ｘを、対物レンズ１０１の中心軸と対物レンズ１０２の中心軸との軸間距離Ｘ´よりも短くすることも可能となる。また、第１対物レンズ２８と第２対物レンズ２９とが一体ではない場合、例えば、経年劣化や衝撃等によって、ＨＤＨＤ ＤＶＤ５０、ＣＤ５２、ＤＶＤ５４に対して第１対物レンズ２８、第２対物レンズ２９がそれぞれ別個の方向へ傾く可能性がある。この場合、第１対物レンズ２８の傾きに応じた補正と、第２対物レンズ２９の傾きに応じた補正とを、それぞれの傾きに応じて行う必要がある。しかしながら、第１対物レンズ２８と第２対物レンズ２９とを一体とすることにより、当該第１対物レンズ２８及び第２対物レンズ２９の傾きを同一とすることが可能となる。そのため、例えば、ＨＤ ＤＶＤ５０、ＣＤ５２、ＤＶＤ５４からの情報記録／再生の開始時における傾きに対する補正を同一とすることが可能となり、当該補正に係る制御を容易なものとすることが可能となる。また、第１レンズ部３３及び第２レンズ部３５の径を小さくすることを要しないため、赤色レーザー光（赤外レーザー光）の光量が減ずることなく、良好な情報記録／再生を行うことが可能となる。
【００５２】
更に、軸間距離Ｘを、第１縁部３４の第２縁部３６と面する側のラジアル方向の距離Ｌ５と、第２縁部３６の第１縁部３４と面する側のラジアル方向の距離Ｌ５とに応じて、第１対物レンズ２８がＣＤ５２（ＤＶＤ５４）の情報記録層５３（５５）の最内周に赤色レーザー光（赤外レーザー光）を集光する場合、第２縁部３６がターンテーブル１０９と衝突しない距離に設定することが可能となる。この結果、ＣＤ５２（ＤＶＤ５４）の情報記録層５３（５５）の最内周に対する情報記録／再生を良好に行うことが可能となる。
【００５３】
更に、レンズホルダー２５のラジアル方向の距離Ｙを、第１縁部３４の第２縁部３６と面する側のラジアル方向の距離Ｌ５と、第２縁部３６の第１縁部３４と面する側のラジアル方向の距離Ｌ５とに応じて、第１対物レンズ２８がＣＤ５２（ＤＶＤ５４）の情報記録層５３（５５）の最内周に赤色レーザー光（赤外レーザー光）を集光する場合、レンズホルダー２５がターンテーブル１０９と衝突しない距離に設定することが可能となる。この結果、ＣＤ５２（ＤＶＤ５４）の情報記録層５３（５５）の最内周に対する情報記録／再生を良好に行うことが可能となる。
【００５４】
また、対物レンズ保持装置８を備えた光ピックアップ装置１を提供することが可能となる。つまり、軸間距離Ｘが、第１縁部３４の第２縁部３６と面する側のラジアル方向の距離Ｌ５と、第２縁部３６の第１縁部３４と面する側のラジアル方向の距離Ｌ５とに応じて、第１対物レンズ２８がＣＤ５２（ＤＶＤ５４）の情報記録層５３（５５）の最内周に赤色レーザー光（赤外レーザー光）を集光する場合、第２縁部３６がターンテーブル１０９と衝突しない距離に設定された光ピックアップ装置１を提供することが可能となる。
【００５５】
＝＝＝その他の実施形態＝＝＝
以上、本発明に係る対物レンズ保持装置について説明したが、上記の説明は、本発明の理解を容易とするためのものであり、本発明を限定するものではない。本発明は、その趣旨を逸脱することなく、変更、改良され得る。
【００５６】
＜＜対物レンズ保持装置のその他の形態＞＞
上述した実施形態によれば、ラジアル方向における第２縁部３６とターンテーブル１０９との間の距離Ｍを＋側（及び（又は）距離Ｎを＋側）とするべく、第１縁部３４の第２縁部３６と面する側と、第２縁部３６の第１縁部３４と面する側とを結合させることにより、第１対物レンズ２８及び第２対物レンズ２９とを一体化させているが、これに限るものではない。
【００５７】
例えば、図６に示すように、第１縁部３４の第２縁部３６と面する側と、第２縁部３６の第１縁部３４と面する側とを結合させずに、第１対物レンズ２８と第２対物レンズ２９とを別体とすることも可能である。そして、第１縁部３４の第２縁部３６と面する側は、タンジェンシャル方向（ラジアル方向と直交する方向）に切り欠かれた形状である。また、第２縁部３６の第１縁部３４と面する側も同様に、タンジェンシャル方向（ラジアル方向と直交する方向と同一方向）に切り欠かれた形状である。この第１縁部３４の第２縁部３６と面する側の距離（第１距離）と、第２縁部３６の第１縁部３４と面する側の距離（第２距離）と、当該第１縁部３４と第２縁部３６との間の距離との和は、図１に示す距離Ｌ５であり、また、第２縁部３６の第１縁部３４と面しない反対側の距離は、図１に示す距離Ｌ６である。このように、第１対物レンズ２８と第２対物レンズ２９とを別体に設けることによっても、当該第１対物レンズ２８の中心軸と第２対物レンズ２９の中心軸との軸間距離Ｘを、Ｌ１＋Ｌ２＋Ｌ３＋Ｌ４＋Ｌ５短くすることが可能となる。また、例えば、第１対物レンズ２８のみに不良品が生じた場合や、当該第１対物レンズ２８のみを交換、改良したい場合、第２対物レンズ２９をレンズホルダー２５から外すことなく処理を行うことが可能なり、コストダウンや煩雑さを防止することが可能なる。尚、第１縁部３４の第２縁部３６と面する側は、タンジェンシャル方向に切り欠かれた形状とし、第２縁部３６の第１縁部３４と面する側も同様に、タンジェンシャル方向に切り欠かれた形状としているが、これに限るものではない。例えば、図７に示すように、第１縁部３４の第２縁部３６と面する側は、切り欠き４１が第１レンズ部３３にかからない範囲内で、タンジェンシャル方向に対して所定角度θとなる方向に切り欠かれた形状とし、第２縁部３６の第１縁部３４と面する側は、切り欠き４２が第２レンズ部３５にかからない範囲内で、タンジェンシャル方向に対して所定角度となる方向と同一方向に切り欠かれた形状としても良い。つまり、第１縁部３４の第２縁部３６と面する側と、第２縁部３６の第１縁部３４と面する側とが同一方向に切り欠かれた形状とすることによっても、第１対物レンズ２８と第２対物レンズ２９との軸間距離Ｘを、第２縁部３６がターンテーブル１０９と衝突しない距離に設定することが可能となる。
【００５８】
また、第１縁部３４の切り欠き４１と、第２縁部３６の切り欠き４２は、直線状に限るものではなく、当該第１縁部３４と第２縁部３６との間が一定間隔を保つことが可能であれば三角波状や波状等でも良い。尚、図５において前述した第１対物レンズ２８及び第２対物レンズ２９を、図８に示すように別体とすることも可能である。
【００５９】
尚、第１縁部３４の第２縁部３６と面する側とは切り欠かれた部分（切り欠き４２側）のことであり、第１縁部３４の第２縁部３６とは面しない反対側とは当該切り欠かれた部分と同じラジアル方向における（図８、破線間）切り欠かれていない部分（斜線）のことである。そして、図８の破線間における第１縁部３４の切り欠かれた部分のラジアル方向の距離は、当該破線間における第１縁部３４の切り欠かれていない部分の当該ラジアル方向の距離未満である。また、同様に、第２縁部３６の第１縁部３４と面する側とは切り欠かれた部分（切り欠き４１側）のことであり、第２縁部３６の第１縁部３４とは面しない反対側とは当該切り欠かれた部分と同じラジアル方向（破線間）における切り欠かれていない部分（斜線）のことである。そして、図８の破線間における第２縁部３６の切り欠かれた部分のラジアル方向の距離は、当該破線間における第２縁部３６の切り欠かれていない部分の当該ラジアル方向の距離未満である。
【００６０】
上述のその他の実施形態によれば、第１対物レンズ２８の中心軸と第２対物レンズ２９の中心軸との軸間距離Ｘを、第１縁部３４の第２縁部３６と面する側のラジアル方向の距離Ｌ５と、第２縁部３６の第１縁部３４と面する側のラジアル方向の距離Ｌ５とに応じて、第１対物レンズ２８がＣＤ５２（ＤＶＤ５４）の情報記録層５３（５５）の最内周に赤色レーザー光（赤外レーザー光）を集光する場合、第２縁部３６がターンテーブル１０９と衝突しない距離に設定することが可能となる。この結果、ＣＤ５２（ＤＶＤ５４）の情報記録層５３（５５）の最内周に対する情報記録／再生を良好に行うことが可能となる。
【００６１】
更に、第１縁部３４の第２縁部３６と面する側を、ラジアル方向と交差する方向に切り欠かれた形状とし、第２縁部３６の第１縁部３４と面する側を、ラジアル方向と交差する方向と同一方向に切り欠かれた形状とすることが可能となる。この結果、第１縁部３４の第２縁部３６と面する側と、第２縁部３６の第１縁部３４と面する側との間の距離を効果的に短くすることが可能となり、軸間距離Ｘを第２縁部３６がターンテーブル１０９と衝突しない距離に設定することが可能となる。
【００６２】
更に、第１縁部３４の第２縁部３６と面する側を、ラジアル方向と直交する方向に切り欠かれた形状とし、第２縁部３６の第１縁部３４と面する側を、ラジアル方向と直交する方向と同一方向に切り欠かれた形状とすることが可能となる。この結果、第１縁部３４の第２縁部３６と面する側と、第２縁部３６の第１縁部３４と面する側との間の距離を、最小値にまで短くすることが可能となる。
【００６３】
更に、レンズホルダー２５のラジアル方向の距離Ｙを、第１縁部３４の第２縁部３６と面する側のラジアル方向の距離Ｌ５と、第２縁部３６の第１縁部３４と面する側のラジアル方向の距離Ｌ５とに応じて、第１対物レンズ２８がＣＤ５２（ＤＶＤ５４）の情報記録層５３（５５）の最内周に赤色レーザー光（赤外レーザー光）を集光する場合、レンズホルダー２５がターンテーブル１０９と衝突しない距離に設定することが可能となる。この結果、ＣＤ５２（ＤＶＤ５４）の情報記録層５３（５５）の最内周に対する情報記録／再生を良好に行うことが可能となる。
【００６４】
また、対物レンズ保持装置８を備えた光ピックアップ装置１を提供することが可能となる。つまり、軸間距離Ｘが、第１縁部３４の第２縁部３６と面する側のラジアル方向の距離Ｌ５と、第２縁部３６の第１縁部３４と面する側のラジアル方向の距離Ｌ５とに応じて、第１対物レンズ２８がＣＤ５２（ＤＶＤ５４）の情報記録層５３（５５）の最内周に赤色レーザー光（赤外レーザー光）を集光する場合、第２縁部３６がターンテーブル１０９と衝突しない距離に設定された光ピックアップ装置１を提供することが可能となる。
【符号の説明】
【００６５】
１  光ピックアップ装置              ２  青紫色半導体レーザー
３  回折格子                        ４  ビームスプリッタ
５  コリメータレンズ                ６  液晶収差補正素子
７、１７  立上ミラー                ８  対物レンズ保持装置
９  赤色半導体レーザー              １０、１４  回折格子
１１  ダイクロイックプリズム        １２  赤外半導体レーザー
１３  カップリングレンズ            １５  平板ビームスプリッタ
１６  コリメータレンズ              １８、２０  センサーレンズ
１９、２１  光検出器                ２２  凹形レンズ
２３  凸形レンズ                    ２５、１０５、１０６  レンズホルダー
２６  サスペンションワイヤー        ２７  ワイヤー保持部材
２８  第１対物レンズ                ２９  第２対物レンズ
３０  ガラス基板                    ３１  液晶分子層
３３  第１レンズ部                  ３４  第１縁部
３５  第２レンズ部                  ３６  第２縁部
３７  第１孔部                      ３８  第１当接部
３９  第２孔部                      ４０  第２当接部
４１、４２  切り欠き                ５０  ＨＤ ＤＶＤ
５１、５３、５５  情報記録層        ５２  ＣＤ
５４  ＤＶＤ                        １０１、１０２、１０３、１０４  対物レンズ
１０７  光ディスク                  １０８  スピンドルモータ
１０９  ターンテーブル              １１０、１１１  縁部
【図１】
2011175727.tif 000003
【図２】
2011175727.tif 000004
【図３】
2011175727.tif 000005
【図４】
2011175727.tif 000006
【図５】
2011175727.tif 000007
【図６】
2011175727.tif 000008
【図７】
2011175727.tif 000009
【図８】
2011175727.tif 000010
【図９】
2011175727.tif 000011
【図１０】
2011175727.tif 000012
【図１１】
2011175727.tif 000013